(57)【特許請求の範囲】
【請求項１】
コンピュータによって実行される更新許可判定プログラムであって、前記コンピュータに、
通信端末装置に記憶されたアドレス帳の更新に係る通信先識別子を含む更新要求を受信する受信ステップと、
前記受信ステップにて受信された更新要求に含まれる通信先識別子が使用可能か否かを当該通信先識別子の情報を保持するデータベースに問い合わせる問合せステップと、
前記問合せステップにおける問い合わせに対する応答に基づいて、前記通信端末装置によるアドレス帳の更新を許可するか否かを判定する判定ステップと、
前記判定ステップにおける判定結果を送信する送信ステップと、
を実行させることを特徴とする更新許可判定プログラム。
【請求項２】
前記受信ステップは、
アドレス帳に通信先識別子が新規追加される更新の場合には、新規追加される通信先識別子を含む更新要求を受信し、アドレス帳に登録済みの通信先識別子が変更される更新の場合には、変更前後の通信先識別子を含む更新要求を受信することを特徴とする請求項１記載の更新許可判定プログラム。
【請求項３】
前記判定ステップは、
変更前の通信識別子が使用不可であり、かつ、変更後の通信識別子が使用可能である場合に、アドレス帳の更新を許可すると判定することを特徴とする請求項２記載の更新許可判定プログラム。
【請求項４】
前記判定ステップは、
変更前後の通信識別子がいずれも通信可能である場合に、アドレス帳の更新を許可しないと判定することを特徴とする請求項２記載の更新許可判定プログラム。
【請求項５】
前記判定ステップにてアドレス帳の更新を許可しないと判定された場合に、許可されない更新に係る通信先識別子の履歴を記録する記録ステップと、
前記記録ステップにて同一の通信先識別子の履歴が記録された回数が所定の閾値以上である場合にアラームを通知する通知ステップと、
をさらにコンピュータに実行させることを特徴とする請求項１記載の更新許可判定プログラム。
【請求項６】
通信端末装置に記憶されたアドレス帳の更新に係る通信先識別子を含む更新要求を受信する受信部と、
前記受信部によって受信された更新要求に含まれる通信先識別子が使用可能か否かを当該通信先識別子の情報を保持するデータベースに問い合わせる問合せ部と、
前記問合せ部による問い合わせに対する応答に基づいて、前記通信端末装置によるアドレス帳の更新を許可するか否かを判定する判定部と、
前記判定部による判定結果を送信する送信部と、
を有することを特徴とする回線交換装置。
【発明の詳細な説明】
【技術分野】
【０００１】
本発明は、更新許可判定プログラム及び回線交換装置に関する。
【背景技術】
【０００２】
一般に、携帯電話機には電話番号などを記憶するアドレス帳機能が備えられていることがある。すなわち、ユーザは、友人又は知人の電話番号やメールアドレスなどの情報を携帯電話機のアドレス帳に登録しておき、所望の電話番号やメールアドレスを呼び出して発信やメール送信をすることが可能となっている。
【０００３】
このようなアドレス帳に登録される情報は、通常、ユーザによって入力される。すなわち、ユーザは、友人又は知人からの着信があった場合に、通話中に口頭で知らされた電話番号などをアドレス帳に登録することがある。また、ユーザは、友人又は知人からの着信があった場合に、発信者番号通知によって知らされた電話番号をアドレス帳に登録することもある。
【０００４】
一方、近年では、悪意の第三者が通話時に友人又は知人になりすましてユーザを騙す、いわゆる「振り込め詐欺」が横行し、社会問題となっている。そこで、ユーザに対して発信する可能性がある友人又は知人を電話網に設けられたデータベースにあらかじめ登録しておき、登録された友人又は知人がユーザに対して発信する際には、この友人又は知人の属性情報をユーザに通知することなどが検討されている。
【先行技術文献】
【特許文献】
【０００５】
【特許文献１】特開２００８−２５２４８１号公報
【発明の概要】
【発明が解決しようとする課題】
【０００６】
しかしながら、アドレス帳やデータベースへの情報の登録の際には、常に誤登録の危険性があるという問題がある。すなわち、友人又は知人から口頭で知らされた電話番号を登録する際、ユーザが例えば入力に必要なキー操作などを誤れば、誤った電話番号がアドレス帳などに登録されてしまう。同様に、ユーザが電話番号を聞き間違えた場合などにも、アドレス帳への誤登録は生じる。そして、誤った電話番号がアドレス帳に登録されていると、ユーザがアドレス帳から電話番号を呼び出して発信する際などに、通話が不可能であったり間違え電話が発生したりする。
【０００７】
また、上述したようにユーザに対して発信する可能性がある友人又は知人をデータベースに登録することが検討されているが、このような友人又は知人をすべて登録することは困難であり手間がかかる。したがって、悪意の第三者によるなりすましを完全に防止することはできず、通常は、ユーザの携帯電話機にいたずら電話などを含めた悪意の第三者からの着信もあると考えられる。このとき、悪意の第三者が友人又は知人になりすまして、アドレス帳への電話番号の登録をユーザに促した場合、ユーザが疑いを持たずにアドレス帳を更新すると、悪意の第三者の電話番号が友人又は知人の電話番号としてアドレス帳に登録されてしまう。結果として、悪意の第三者による例えば「振り込め詐欺」などの犯罪行為を助長することになる。
【０００８】
開示の技術は、かかる点に鑑みてなされたものであって、不適切な電話番号の登録を抑制するとともに、悪意の第三者による犯罪行為を抑止することができる更新許可判定プログラム、回線交換装置及び通信端末装置を提供することを目的とする。
【課題を解決するための手段】
【０００９】
本願が開示する更新許可判定プログラムは、１つの態様において、コンピュータに、通信端末装置に記憶されたアドレス帳の更新に係る通信先識別子を含む更新要求を受信する受信ステップと、前記受信ステップにて受信された更新要求に含まれる通信先識別子が使用可能か否かを当該通信先識別子の情報を保持するデータベースに問い合わせる問合せステップと、前記問合せステップにおける問い合わせに対する応答に基づいて、前記通信端末装置によるアドレス帳の更新を許可するか否かを判定する判定ステップと、前記判定ステップにおける判定結果を送信する送信ステップと、を実行させる。
【発明の効果】
【００１０】
本願が開示する更新許可判定プログラム、回線交換装置及び通信端末装置の１つの態様によれば、不適切な電話番号の登録を抑制するとともに、悪意の第三者による犯罪行為を抑止することができるという効果を奏する。
【図面の簡単な説明】
【００１１】
【図１】図１は、一実施の形態に係る通信システムの構成を示す図である。
【図２】図２は、ＨＬＲに保持される加入者情報の具体例を示す図である。
【図３】図３は、一実施の形態に係る携帯端末装置の構成を示すブロック図である。
【図４】図４は、一実施の形態に係る移動網交換ノードの構成を示すブロック図である。
【図５】図５は、更新許可判定のパターンの具体例を示す図である。
【図６】図６は、更新不可履歴の具体例を示す図である。
【図７】図７は、一実施の形態に係る携帯端末装置の動作を示すフロー図である。
【図８】図８は、一実施の形態に係る移動網交換ノードの動作を示すフロー図である。
【図９】図９は、コンピュータのハードウェア構成例を示す図である。
【発明を実施するための形態】
【００１２】
以下、本願が開示する更新許可判定プログラム、回線交換装置及び通信端末装置の一実施の形態について、図面を参照して詳細に説明する。なお、この実施の形態により本発明が限定されるものではない。
【００１３】
図１は、一実施の形態に係る通信システムの構成を示す図である。図１に示す通信システムは、大きく分けて移動網及び固定網の２つのネットワークからなり、移動網には携帯端末装置１００が収容される一方、固定網には固定電話３１０が収容されている。そして、移動網には、移動網交換ノード２００、無線ネットワーク制御装置（以下「無線ＮＷ制御装置」という）２１０、基地局装置２２０及びＨＬＲ（Home Location Register）２３０が設置される。また、固定網には、固定網交換ノード３００が設置されており、固定網交換ノード３００は、移動網交換ノード２００に接続されている。
【００１４】
携帯端末装置１００は、移動網に収容される通信端末装置である。携帯端末装置１００は、アドレス帳機能を備えており、アドレス帳に登録された電話番号を呼び出して発信することができる。携帯端末装置１００のアドレス帳は、ユーザの入力により更新される。このとき、携帯端末装置１００は、アドレス帳に登録する電話番号がユーザによって入力されると、アドレス帳の更新を要求する更新要求を生成し、移動網交換ノード２００へ向けて送信する。そして、携帯端末装置１００は、更新要求に対する判定結果を受信し、アドレス帳の更新を許可する旨の判定結果が受信された場合に、アドレス帳を更新する。これに対して、アドレス帳の更新を許可しない旨の判定結果が受信された場合には、携帯端末装置１００は、アドレス帳を更新しない。なお、携帯端末装置１００の具体的な構成及び動作については、後に詳述する。
【００１５】
移動網交換ノード２００は、移動網における回線交換を行い、携帯端末装置１００などの携帯端末装置による通信の接続を実行する。また、移動網交換ノード２００は、携帯端末装置１００から送信された更新要求を受信すると、アドレス帳に登録される電話番号が使用可能な電話番号であるか否かを固定網交換ノード３００又はＨＬＲ２３０に問い合わせる。そして、移動網交換ノード２００は、電話番号の使用可否に基づいてアドレス帳の更新を許可するか否かを判定し、判定結果を携帯端末装置１００へ送信する。なお、移動網交換ノード２００の具体的な構成及び動作については、後に詳述する。
【００１６】
無線ＮＷ制御装置２１０は、移動網交換ノード２００に接続され、携帯端末装置１００の位置における無線ネットワークを制御する。具体的には、無線ＮＷ制御装置２１０は、携帯端末装置１００から送信された更新要求を移動網交換ノード２００へ送信し、移動網交換ノード２００から送信された判定結果を基地局装置２２０を介して携帯端末装置１００へ送信する。
【００１７】
基地局装置２２０は、無線ＮＷ制御装置２１０に接続され、携帯端末装置１００と無線通信を行う。具体的には、基地局装置２２０は、携帯端末装置１００から送信された更新要求を受信して無線ＮＷ制御装置２１０へ送信し、移動網交換ノード２００から送信された判定結果を携帯端末装置１００へ送信する。なお、基地局装置２２０は、携帯端末装置１００以外の図示しない携帯端末装置とも無線通信を行っても良い。また、基地局装置２２０以外の図示しない基地局装置が無線ＮＷ制御装置２１０に接続されていても良い。
【００１８】
ＨＬＲ２３０は、移動網に収容される加入者の情報を保持するデータベースを備えている。すなわち、ＨＬＲ２３０は、携帯端末装置１００を含む複数の携帯端末装置の電話番号に対応付けて、各電話番号に関する情報を記憶している。具体的には、ＨＬＲ２３０は、例えば図２に示すような情報を記憶している。すなわち、ＨＬＲ２３０は、電話番号に対応付けて、各電話番号の携帯端末装置がどのような状態にあるかを示す設備状態と、各電話番号の携帯端末装置が使用中であるか否かを示す使用状態とを記憶している。
【００１９】
図２に示すように、電話番号が使用可能であれば設備状態として「使用可能」が記憶されるとともに、この電話番号の携帯端末装置が通話に使用中であるか否かによって、使用状態として「使用中」又は「未使用」が記憶される。一方、電話番号が既に廃止されて空き番号となっていれば設備状態として「廃止」が記憶される。また、ユーザの電話番号が他の電話番号に変更されていれば設備状態として「改番」が記憶されるとともに、変更後の電話番号が備考として記憶される。さらに、電話番号が一時的に使用不可の状態になっていれば設備状態として「一時撤去」が記憶される。このように、ＨＬＲ２３０は、少なくとも過去に使用可能となったことがある携帯端末装置の電話番号を記憶するとともに、各電話番号が現在も使用可能な電話番号であるか否かを記憶している。
【００２０】
固定網交換ノード３００は、固定網における回線交換を行い、固定電話３１０などの固定電話による通信の接続を実行する。また、固定網交換ノード３００は、固定網に収容される加入者の情報を保持するデータベースを備えている。すなわち、固定網交換ノード３００は、固定電話３１０を含む複数の固定電話の電話番号に対応付けて、各電話番号に関する情報を記憶している。固定網交換ノード３００は、少なくともＨＬＲ２３０が保持する情報と同様の情報を保持している。したがって、固定網交換ノード３００は、少なくとも過去に使用可能となったことがある固定電話の電話番号を記憶するとともに、各電話番号が現在も使用可能な電話番号であるか否かを記憶している。
【００２１】
固定電話３１０は、固定網に収容される通信端末装置である。固定電話３１０は、移動可能な携帯端末装置１００とは異なり、固定位置に設置されるため、設置された地域を識別可能な電話番号が割り当てられている。これに対して、移動可能な携帯端末装置１００には、上位桁が移動網に収容されることを示す番号となっている電話番号が割り当てられており、電話番号のみから携帯端末装置及び固定電話のいずれの電話番号であるかを識別することが可能となっている。
【００２２】
図３は、本実施の形態に係る携帯端末装置１００の構成を示すブロック図である。図３に示す携帯端末装置１００は、入力部１０１、アドレス帳記憶部１０２、アドレス帳更新制御部１０３、更新要求送信部１０４、判定結果受信部１０５及び表示部１０６を有している。
【００２３】
入力部１０１は、例えば数字キーなどの入力デバイスを備えており、アドレス帳の更新時にユーザが入力する電話番号を受け付け、受け付けた電話番号をアドレス帳更新制御部１０３へ出力する。このとき、ユーザは、新たな友人又は知人の電話番号をアドレス帳に追加する場合には、電話番号の新規追加をする旨の操作とともに電話番号を入力する。また、ユーザは、既にアドレス帳に登録済みの友人又は知人の電話番号を変更する場合には、電話番号を変更する旨の操作とともに変更後の新電話番号を入力する。
【００２４】
アドレス帳記憶部１０２は、ユーザによって登録された友人又は知人の氏名と電話番号とを対応付けたアドレス帳を記憶する。すなわち、アドレス帳記憶部１０２は、通信先となる友人又は知人の通信端末装置の識別子として、電話番号が登録されたアドレス帳を記憶している。なお、アドレス帳記憶部１０２は、通信先識別子として電話番号のほかにも例えばメールアドレスが登録されたアドレス帳を記憶していても良く、さらに住所などの情報が登録されたアドレス帳を記憶していても良い。
【００２５】
アドレス帳更新制御部１０３は、入力部１０１によって電話番号が受け付けられた場合に、この電話番号によってアドレス帳を更新することを要求する旨の更新要求を生成する。具体的には、アドレス帳更新制御部１０３は、新たな友人又は知人の電話番号の新規追加を要求する場合には、追加される新電話番号を含む更新要求を生成する。また、アドレス帳更新制御部１０３は、登録済みの友人又は知人の電話番号の変更を要求する場合には、変更前の旧電話番号をアドレス帳記憶部１０２から読み出し、変更前の旧電話番号及び変更後の新電話番号を含む更新要求を生成する。アドレス帳更新制御部１０３は、生成した更新要求を更新要求送信部１０４へ出力する。
【００２６】
そして、アドレス帳更新制御部１０３は、更新要求に対する判定結果が判定結果受信部１０５によって受信されると、更新を許可する旨の判定結果である場合に、アドレス帳記憶部１０２に記憶されたアドレス帳を更新する。すなわち、アドレス帳更新制御部１０３は、新たな友人又は知人の氏名と新電話番号を追加したり、既に登録済みの友人又は知人の旧電話番号を新電話番号に変更したりする。一方、アドレス帳更新制御部１０３は、判定結果受信部１０５によって受信された判定結果が更新を許可しない旨のものである場合には、アドレス帳記憶部１０２に記憶されたアドレス帳を更新しない。
【００２７】
更新要求送信部１０４は、アドレス帳更新制御部１０３によって生成された更新要求をアンテナを介して無線送信する。すなわち、更新要求送信部１０４は、更新要求を基地局装置２２０へ送信する。この更新要求は、基地局装置２２０及び無線ＮＷ制御装置２１０を介して移動網交換ノード２００へ転送される。
【００２８】
判定結果受信部１０５は、更新要求に応じて移動網交換ノード２００において実行される判定の判定結果をアンテナを介して受信する。すなわち、判定結果受信部１０５は、アドレス帳の更新を許可するか否かの判定結果を基地局装置２２０から受信する。
【００２９】
表示部１０６は、例えば液晶パネルなどを備えており、判定結果受信部１０５によって判定結果が受信されると、受信された判定結果を表示する。このとき、表示部１０６は、判定結果受信部１０５によって判定結果とともに判定の理由が受信されていれば、判定の理由を表示しても良い。
【００３０】
次に、図４は、本実施の形態に係る移動網交換ノード２００の構成を示すブロック図である。図４に示す移動網交換ノード２００は、更新要求受信部２０１、網判定部２０２、回線状況問合せ部２０３、更新許可判定部２０４、判定結果送信部２０５、履歴記録部２０６及びアラーム通知部２０７を有している。
【００３１】
更新要求受信部２０１は、携帯端末装置１００から送信され、基地局装置２２０及び無線ＮＷ制御装置２１０を経た更新要求を受信する。そして、更新要求受信部２０１は、受信した更新要求が新電話番号の新規追加を要求するものであれば、追加される新電話番号を更新要求から取得する。一方、更新要求受信部２０１は、受信した更新要求が電話番号の変更を要求するものであれば、変更前の旧電話番号と変更後の新電話番号とを更新要求から取得する。
【００３２】
網判定部２０２は、更新要求受信部２０１によって取得された電話番号から、それぞれの電話番号を有する通信端末装置が所属するネットワークを判定する。すなわち、網判定部２０２は、例えば電話番号の上位桁を参照し、参照した上位桁が移動網に収容されることを示す番号となっていれば、この電話番号が移動網の電話番号であると判定する。また、網判定部２０２は、参照した上位桁が移動網に収容されることを示す番号となっていなければ、この電話番号が固定網の電話番号であると判定する。なお、網判定部２０２は、更新要求から新旧２つの電話番号が取得された場合には、それぞれの電話番号についての判定を行う。
【００３３】
回線状況問合せ部２０３は、網判定部２０２による判定に基づいて、更新要求から取得された電話番号が使用可能であるか否かを固定網交換ノード３００又はＨＬＲ２３０へ問い合わせる。具体的には、回線状況問合せ部２０３は、電話番号が固定網の電話番号であると判定された場合には、この電話番号が使用可能であるか否かを固定網交換ノード３００へ問い合わせる。一方、回線状況問合せ部２０３は、電話番号が移動網の電話番号であると判定された場合には、この電話番号が使用可能であるか否かをＨＬＲ２３０へ問い合わせる。なお、回線状況問合せ部２０３は、更新要求から新旧２つの電話番号が取得された場合には、それぞれの電話番号について使用可能であるか否かを問い合わせる。
【００３４】
更新許可判定部２０４は、回線状況問合せ部２０３による問い合わせに対する固定網交換ノード３００又はＨＬＲ２３０からの応答に基づいて、携帯端末装置１００におけるアドレス帳の更新を許可するか否かを判定する。具体的には、更新許可判定部２０４は、問合せに対する応答において電話番号の設備状態が「使用可能」である場合には、この電話番号が正当に設置された端末装置の電話番号であると判断する。また、更新許可判定部２０４は、問い合わせに対する応答において電話番号の設備状態が「廃止」、「改番」又は「一時撤去」であるか、未登録である旨の応答があった場合には、この電話番号が使用できない廃止された端末装置の電話番号であると判断する。
【００３５】
そして、更新許可判定部２０４は、電話番号が正当に設置された「設置」又は使用不可の「廃止」であるかによって、図５に示すようなパターンで更新の可否を判定する。すなわち、例えば変更前の旧電話番号が「廃止」と判断され、変更後の新電話番号が「設置」と判断されるパターン「Ｐ−１」の場合、更新許可判定部２０４は、電話番号の変更を要求する更新要求に対して更新を許可すると判定する。
【００３６】
これに対して、例えば変更後の新電話番号が「廃止」と判断されるパターン「Ｐ−２」及び「Ｐ−３」の場合、使用不可能な電話番号への変更が要求されていることから、誤登録の可能性やいたずらなどによる誘導の可能性があると考えられる。また、例えば新旧電話番号のいずれもが「設置」と判断されるパターン「Ｐ−４」の場合、友人又は知人が実際には電話番号を変更していないにも拘わらず、悪意の第三者が友人又は知人になりすまして電話番号の変更を促している可能性があると考えられる。そこで、これらのパターン「Ｐ−２」、「Ｐ−３」及び「Ｐ−４」の場合には、更新許可判定部２０４は、電話番号の変更を要求する更新要求に対して更新を許可しないと判定する。
【００３７】
さらに、例えば新規追加される新電話番号が「設置」と判断されるパターン「Ｐ−５」の場合、更新許可判定部２０４は、電話番号の追加を要求する更新要求に対して更新を許可すると判定する。一方、例えば新規追加される新電話番号が「廃止」と判断されるパターン「Ｐ−６」の場合、更新許可判定部２０４は、上記と同様の理由で、電話番号の追加を要求する更新要求に対して更新を許可しないと判定する。
【００３８】
判定結果送信部２０５は、更新許可判定部２０４による判定結果を無線ＮＷ制御装置２１０及び基地局装置２２０を介して携帯端末装置１００へ送信する。すなわち、判定結果送信部２０５は、更新要求に対して更新を許可するか否かの判定結果を送信する。このとき、判定結果送信部２０５は、上述した「Ｐ−１」〜「Ｐ−６」のパターンや例えば誤登録の可能性があるなどの更新が許可されない理由を判定結果とともに送信しても良い。
【００３９】
履歴記録部２０６は、更新許可判定部２０４によって更新を許可しないと判定された場合に、更新が許可されなかった電話番号などを更新不可履歴として記録する。具体的には、履歴記録部２０６は、図６に示すような更新不可履歴を記録する。すなわち、履歴記録部２０６は、更新が許可されないと判定された際の電話番号の「設置」又は「廃止」を示すパターンと、新旧それぞれの電話番号と、履歴が登録された日時と、同一の新電話番号について履歴が記録された累積回数とを記録する。
【００４０】
図６において、新旧それぞれの電話番号の「設置」又は「廃止」が判断されるパターン「Ｐ−１」〜「Ｐ−４」の履歴については、変更前の旧電話番号と変更後の新電話番号とが記録されることになる。また、新電話番号のみの「設置」又は「廃止」が判断されるパターン「Ｐ−５」、「Ｐ−６」の履歴については、新規追加される新電話番号のみが記録されることになる。そして、履歴記録部２０６は、履歴を記録する際に、新たに記録される新電話番号を過去の履歴の新電話番号と比較し、同一の新電話番号が出現する回数を新電話番号記録回数として記録する。例えば図６においては、新電話番号「０８０−ＣＣＣＣ−ＤＤＤＤ」が更新不可履歴として過去に１４回出現しており、図６に示す履歴が１５回目の更新不可履歴であることを示している。
【００４１】
アラーム通知部２０７は、履歴記録部２０６に記録された更新不可履歴を参照し、必要に応じて図示しない保守端末などへアラームを通知する。具体的には、アラーム通知部２０７は、更新不可履歴の新電話番号記録回数を監視し、新電話番号記録回数が所定の閾値以上となるとアラームを通知する。更新不可履歴は、更新が許可されなかった履歴であるため、同一の新電話番号について更新が許可されない回数が多くなると、この新電話番号は、同一人物が「振り込め詐欺」などに利用している電話番号である可能性が考えられる。このため、アラーム通知部２０７は、同一の新電話番号が更新不可履歴に記録される回数が多くなると、アラームを通知して管理者などに注意喚起する。
【００４２】
なお、悪意の第三者が「振り込め詐欺」などに利用する電話番号は、主に旧電話番号も「設置」と判断されるパターン「Ｐ−４」に該当して更新が許可されないと考えられる。このため、アラーム通知部２０７は、更新不可履歴のパターンを考慮してアラーム通知の有無を決定するようにしても良い。すなわち、アラーム通知部２０７は、パターンごとに新電話番号記録回数を集計し、パターンごとの新電話番号記録回数をパターンごとの所定の閾値と比較することにより、アラーム通知の有無を決定しても良い。
【００４３】
このとき、同じ更新不可のパターンでも、例えばパターン「Ｐ−２」、「Ｐ−３」及び「Ｐ−６」は、パターン「Ｐ−４」より悪意の第三者が介在している可能性が小さい。そこで、アラーム通知部２０７は、パターンごとのアラームに段階的なレベルを設け、注意喚起の度合いが異なるようにしても良い。すなわち、アラーム通知部２０７は、例えばパターン「Ｐ−２」の新電話番号記録回数が所定の閾値以上となった場合は、軽度のアラーム通知を行い、例えばパターン「Ｐ−４」の新電話番号記録回数が所定の閾値以上となった場合は、緊急のアラーム通知を行うなどとしても良い。
【００４４】
次いで、本実施の形態に係る携帯端末装置１００の動作について、図７に示すフロー図を参照しながら説明する。
【００４５】
ユーザが携帯端末装置１００のアドレス帳を更新する場合、ユーザは、電話番号の新規追加をする旨の操作又は電話番号の変更をする旨の操作とともに、新電話番号を入力する。入力された新電話番号は、入力部１０１によって受け付けられ（ステップＳ１０１）、アドレス帳更新制御部１０３へ出力される。そして、アドレス帳更新制御部１０３によって、アドレス帳を更新することを要求する旨の更新要求が生成される（ステップＳ１０２）。すなわち、電話番号の新規追加を要求する場合には、新規追加される新電話番号を含む更新要求が生成され、電話番号の変更を要求する場合には、変更前の旧電話番号と変更後の新電話番号とを含む更新要求が生成される。なお、入力された新電話番号は、更新の可否に関する判定結果が受信されるまで、アドレス帳更新制御部１０３によって保持される。
【００４６】
生成された更新要求は、更新要求送信部１０４によって基地局装置２２０へ送信される（ステップＳ１０３）。そして、更新要求は、基地局装置２２０及び無線ＮＷ制御装置２１０によって移動網交換ノード２００へ転送される。移動網交換ノード２００においては、後述するように、アドレス帳の更新を許可するか否かの判定が実行され、判定結果が無線ＮＷ制御装置２１０及び基地局装置２２０によって転送される。
【００４７】
そして、判定結果は、携帯端末装置１００の判定結果受信部１０５によって受信される（ステップＳ１０４）。受信された判定結果は、表示部１０６によって表示されるとともに（ステップＳ１０５）、アドレス帳更新制御部１０３へ出力される。そして、アドレス帳更新制御部１０３によって、判定結果が更新を許可するものであるか否かが確認され（ステップＳ１０６）、更新が許可されていれば（ステップＳ１０６Ｙｅｓ）、アドレス帳記憶部１０２に記憶されたアドレス帳が更新される（ステップＳ１０７）。すなわち、アドレス帳に新電話番号が新規追加されたり、アドレス帳に登録済みの旧電話番号が新電話番号に変更されたりする。一方、更新が許可されていなければ（ステップＳ１０６Ｎｏ）、アドレス帳が更新されることはなく、アドレス帳更新制御部１０３によって、入力された新電話番号が破棄されて処理が完了する。
【００４８】
次に、本実施の形態に係る移動網交換ノード２００の動作について、図８に示すフロー図を参照しながら説明する。
【００４９】
携帯端末装置１００から送信された更新要求は、基地局装置２２０及び無線ＮＷ制御装置２１０によって転送され、移動網交換ノード２００の更新要求受信部２０１によって受信される（ステップＳ２０１）。そして、更新要求受信部２０１によって、更新要求が電話番号の新規追加を要求するものであるか否かが判断される（ステップＳ２０２）。この結果、更新要求が電話番号の新規追加を要求するものである場合は（ステップＳ２０２Ｙｅｓ）、更新要求受信部２０１によって、更新要求から新規追加される新電話番号が取得される（ステップＳ２０３）。一方、更新要求が電話番号の変更を要求するものである場合は（ステップＳ２０２Ｎｏ）、更新要求受信部２０１によって、更新要求から変更前の旧電話番号が取得されるとともに（ステップＳ２０４）、変更後の新電話番号が取得される（ステップＳ２０５）。
【００５０】
更新要求受信部２０１によって電話番号が取得されると、網判定部２０２によって、それぞれの電話番号が固定網の電話番号であるか移動網の電話番号であるかが判定される（ステップＳ２０６）。具体的には、網判定部２０２によって、電話番号の上位桁が参照され、上位桁が例えば「０７０」、「０８０」及び「０９０」などの移動網に収容されることを示す番号となっていれば、この電話番号が移動網の電話番号であると判定される。これに対して、上位桁がこれらの番号に該当しなければ、電話番号は、固定網の電話番号であると判定される。
【００５１】
この判定の結果、電話番号が固定網の電話番号であると判定された場合には（ステップＳ２０６Ｙｅｓ）、回線状況問合せ部２０３によって、電話番号が使用可能であるか否かが固定網交換ノード３００へ問い合わせられる（ステップＳ２０７）。また、電話番号が移動網の電話番号であると判定された場合には（ステップＳ２０６Ｎｏ）、回線状況問合せ部２０３によって、電話番号が使用可能であるか否かがＨＬＲ２３０へ問い合わせられる（ステップＳ２０８）。すなわち、回線状況問合せ部２０３によって、新電話番号のみ又は新旧電話番号について、それぞれ固定網又は移動網に正当に設置された端末装置の電話番号であるか否かが問い合わせられる。
【００５２】
固定網交換ノード３００又はＨＬＲ２３０は、回線状況問合せ部２０３からの問い合わせを受けると、各電話番号に対応して記憶された情報を参照し、電話番号の回線状況を移動網交換ノード２００へ返信する。すなわち、固定網交換ノード３００又はＨＬＲ２３０は、例えば図２に示した加入者情報を参照し、問い合わせられた電話番号に対応する設備状態を回線状況として移動網交換ノード２００へ返信する。なお、固定網交換ノード３００又はＨＬＲ２３０は、問い合わせられた電話番号がデータベースに未登録である場合には、移動網交換ノード２００に対してその旨の応答をする。固定網交換ノード３００又はＨＬＲ２３０から返信された回線状況は、移動網交換ノード２００の更新許可判定部２０４によって取得される（ステップＳ２０９）。
【００５３】
更新許可判定部２０４によって電話番号の回線状況が取得されると、新電話番号のみ又は新旧電話番号の設備状態のパターンが判定される（ステップＳ２１０）。具体的には、更新許可判定部２０４によって、例えば新電話番号のみの回線状況が取得されると、この回線状況に含まれる設備状態が「使用可能」であれば、新電話番号が使用可能である「設置」と判断され、パターンは図５に示した「Ｐ−５」であると判定される。これに対し、回線状況に含まれる設備状態が「廃止」、「改番」又は「一時撤去」であるか、問い合わせに対して電話番号が未登録である旨の応答があった場合には、新電話番号が使用不可である「廃止」と判断され、パターンは図５に示した「Ｐ−６」であると判定される。
【００５４】
同様に、更新許可判定部２０４によって、例えば新旧電話番号の回線状況が取得されると、新旧電話番号の設備状態からそれぞれの電話番号が使用可能であることを示す「設置」又は使用不可であることを示す「廃止」のいずれに該当するかが判断される。そして、更新許可判定部２０４によって、新旧電話番号の「設置」及び「廃止」の組み合わせがパターン「Ｐ−１」〜「Ｐ−４」のどれに該当するかが判定される。
【００５５】
そして、更新許可判定部２０４によって、判定されたパターンからアドレス帳の更新を許可するか否かが判定される（ステップＳ２１１）。具体的には、パターンが「Ｐ−１」又は「Ｐ−５」の場合には、更新を許可すると判定される。また、パターンが「Ｐ−２」〜「Ｐ−４」又は「Ｐ−６」の場合には、更新を許可しないと判定される。これは以下の理由による。すなわち、電話番号の新規追加及び変更のいずれの場合でも、新電話番号は使用可能な「設置」でなければ、正当な更新ではないと考えられる。また、新電話番号が「設置」であっても、旧電話番号も「設置」であれば、悪意の第三者がなりすましによって電話番号の変更を促している可能性がある。したがって、新電話番号が「廃止」のパターン「Ｐ−２」、「Ｐ−３」及び「Ｐ−６」は更新が許可されず、新旧電話番号がいずれも「設置」のパターン「Ｐ−４」も更新が許可されない。
【００５６】
このような判定の結果、更新許可判定部２０４によって更新を許可すると判定された場合には、判定結果送信部２０５によって、この判定結果が送信される（ステップＳ２１５）。判定結果は、無線ＮＷ制御装置２１０及び基地局装置２２０を介して携帯端末装置１００へ転送され、上述したように、携帯端末装置１００によってアドレス帳の更新が行われる。
【００５７】
一方、更新許可判定部２０４によって更新を許可しないと判定された場合には、履歴記録部２０６によって、更新が許可されなかった電話番号などの履歴が記録される（ステップＳ２１２）。具体的には、更新が許可されなかった理由に対応するパターンと、新旧それぞれの電話番号と、履歴が登録される日時と、新電話番号の累積記録回数とが更新不可履歴として記録される。また、履歴記録部２０６によって更新不可履歴が記録される一方、アラーム通知部２０７によって、更新不可履歴の新電話番号記録回数が監視されている。すなわち、アラーム通知部２０７によって、新たに記録された履歴における新電話番号記録回数が所定の閾値以上であるか否かが判定される（ステップＳ２１３）。
【００５８】
この判定の結果、新電話番号記録回数が所定の閾値に達していなければ（ステップＳ２１３Ｎｏ）、判定結果送信部２０５によって、更新を許可しない旨の判定結果が送信される（ステップＳ２１５）。また、新電話番号記録回数が所定の閾値以上であれば（ステップＳ２１３Ｙｅｓ）、アラーム通知部２０７によって、図示しない保守端末などへアラームが通知される（ステップＳ２１４）。そして、アラームの通知後、判定結果送信部２０５によって、更新を許可しない旨の判定結果が送信される（ステップＳ２１５）。なお、アラーム通知部２０７によるアラーム通知の有無は、例えばパターンごとに新電話番号記録回数を集計し、パターンごとの新電話番号記録回数を所定の閾値と比較することにより決定されても良い。
【００５９】
以上のように、本実施の形態によれば、アドレス帳の更新時に携帯端末装置が電話番号を含む更新要求を送信し、更新要求に含まれる電話番号の回線状況に基づいて移動網交換ノードが更新の可否を判定する。そして、移動網交換ノードが判定結果を携帯端末装置へ送信し、携帯端末装置は、更新が許可された場合にアドレス帳の更新を実行する。また、同一の電話番号に関する更新が繰り返して許可されない場合には、移動網交換ノードは、この電話番号が悪意の第三者によって利用されている可能性があると判断し、管理者に注意喚起する。このため、使用可能ではない電話番号のアドレス帳への追加や、悪意の第三者の介在が疑われる電話番号の変更などを防止することができ、不適切な電話番号の登録を抑制するとともに、悪意の第三者による犯罪行為を抑止することができる。
【００６０】
なお、上記一実施の形態に係る移動網交換ノード２００が実行するアドレス帳の更新許可判定処理をコンピュータが実行可能な言語で記述したプログラムを作成することもできる。この場合、コンピュータがプログラムを実行することにより、上記一実施の形態と同様の効果を得ることができる。さらに、上記のプログラムをコンピュータ読み取り可能な記録媒体に記録して、この記録媒体に記録されたプログラムをコンピュータに読み込ませて実行することにより上記一実施の形態と同様の更新許可判定処理を実現しても良い。
【００６１】
図９は、更新許可判定処理を実現するコンピュータ４００のハードウェア構成を示すブロック図である。図９に示すように、このコンピュータ４００は、上記プログラムを実行するＣＰＵ４１０と、データを入力する入力装置４２０と、各種データを記憶するＲＯＭ４３０と、演算パラメータ等を記憶するＲＡＭ４４０と、更新許可判定処理を実現するためのプログラムを記録した記録媒体５００からプログラムを読み取る読取装置４５０と、ディスプレイ等の出力装置４６０と、ネットワーク６００を介して他のコンピュータとの間でデータの授受をおこなうネットワークインターフェース４７０とが、バス４８０で接続された構成となっている。
【００６２】
ＣＰＵ４１０は、読取装置４５０を経由して記録媒体５００に記録されているプログラムを読み込んだ後、プログラムを実行することにより、更新許可判定処理を実現する。なお、記録媒体５００としては、光ディスク、フレキシブルディスク、ＣＤ−ＲＯＭ、ハードディスク等が挙げられる。また、このプログラムは、ネットワーク６００を介してコンピュータ４００に導入することとしても良い。このとき、ネットワーク６００は、無線ネットワークであっても有線ネットワークであっても良い。
【００６３】
以上の各実施の形態に関し、さらに以下の付記を開示する。
【００６４】
（付記１）コンピュータによって実行される更新許可判定プログラムであって、前記コンピュータに、
通信端末装置に記憶されたアドレス帳の更新に係る通信先識別子を含む更新要求を受信する受信ステップと、
前記受信ステップにて受信された更新要求に含まれる通信先識別子が使用可能か否かを当該通信先識別子の情報を保持するデータベースに問い合わせる問合せステップと、
前記問合せステップにおける問い合わせに対する応答に基づいて、前記通信端末装置によるアドレス帳の更新を許可するか否かを判定する判定ステップと、
前記判定ステップにおける判定結果を送信する送信ステップと、
を実行させることを特徴とする更新許可判定プログラム。
【００６５】
（付記２）前記受信ステップは、
アドレス帳に通信先識別子が新規追加される更新の場合には、新規追加される通信先識別子を含む更新要求を受信し、アドレス帳に登録済みの通信先識別子が変更される更新の場合には、変更前後の通信先識別子を含む更新要求を受信することを特徴とする付記１記載の更新許可判定プログラム。
【００６６】
（付記３）前記判定ステップは、
新規追加される通信先識別子が使用可能である場合に、アドレス帳の更新を許可すると判定することを特徴とする付記２記載の更新許可判定プログラム。
【００６７】
（付記４）前記判定ステップは、
変更前の通信識別子が使用不可であり、かつ、変更後の通信識別子が使用可能である場合に、アドレス帳の更新を許可すると判定することを特徴とする付記２記載の更新許可判定プログラム。
【００６８】
（付記５）前記判定ステップは、
変更前後の通信識別子がいずれも通信可能である場合に、アドレス帳の更新を許可しないと判定することを特徴とする付記２記載の更新許可判定プログラム。
【００６９】
（付記６）前記判定ステップは、
新規追加される通信先識別子又は変更後の通信識別子が通信不可である場合に、アドレス帳の更新を許可しないと判定することを特徴とする付記２記載の更新許可判定プログラム。
【００７０】
（付記７）前記問合せステップは、
前記通信先識別子に対応する通信端末装置が所属するネットワークを判定するネットワーク判定ステップを含み、
前記ネットワーク判定ステップにて判定されたネットワーク内に配置されたデータベースに対して問い合わせを行うことを特徴とする付記１記載の更新許可判定プログラム。
【００７１】
（付記８）前記判定ステップにてアドレス帳の更新を許可しないと判定された場合に、許可されない更新に係る通信先識別子の履歴を記録する記録ステップと、
前記記録ステップにて同一の通信先識別子の履歴が記録された回数が所定の閾値以上である場合にアラームを通知する通知ステップと、
をさらにコンピュータに実行させることを特徴とする付記１記載の更新許可判定プログラム。
【００７２】
（付記９）通信端末装置に記憶されたアドレス帳の更新に係る通信先識別子を含む更新要求を受信する受信部と、
前記受信部によって受信された更新要求に含まれる通信先識別子が使用可能か否かを当該通信先識別子の情報を保持するデータベースに問い合わせる問合せ部と、
前記問合せ部による問い合わせに対する応答に基づいて、前記通信端末装置によるアドレス帳の更新を許可するか否かを判定する判定部と、
前記判定部による判定結果を送信する送信部と、
を有することを特徴とする回線交換装置。
【００７３】
（付記１０）通信先識別子を登録可能なアドレス帳を記憶する記憶部と、
前記記憶部によって記憶されたアドレス帳に登録される通信先識別子を受け付ける受付部と、
前記受付部によって通信先識別子が受け付けられた場合に、当該通信先識別子を含む更新要求を送信する送信部と、
前記送信部によって送信された更新要求に対して更新を許可する旨の応答があった場合に、前記受付部によって受け付けられた通信先識別子を前記記憶部に記憶されたアドレス帳に登録する更新部と、
を有することを特徴とする通信端末装置。
【符号の説明】
【００７４】
１００  携帯端末装置
１０１  入力部
１０２  アドレス帳記憶部
１０３  アドレス帳更新制御部
１０４  更新要求送信部
１０５  判定結果受信部
１０６  表示部
２００  移動網交換ノード
２０１  更新要求受信部
２０２  網判定部
２０３  回線状況問合せ部
２０４  更新許可判定部
２０５  判定結果送信部
２０６  履歴記録部
２０７  アラーム通知部
２３０  ＨＬＲ
３００  固定網交換ノード
【図１】
0005464000.tif 000002
【図２】
0005464000.tif 000003
【図３】
0005464000.tif 000004
【図４】
0005464000.tif 000005
【図５】
0005464000.tif 000006
【図６】
0005464000.tif 000007
【図７】
0005464000.tif 000008
【図８】
0005464000.tif 000009
【図９】
0005464000.tif 000010